(57)【特許請求の範囲】
【請求項１】
容器本体の胴部に、その周りに沿う対向領域につきそれぞれ凹部を形成し、その相互間の全領域を把持部とするピンチグリップタイプのボトル型容器であって、
前記凹部を、容器を把持する際の引っ掛かり部分を形成する少なくとも２段階よりなる段差にて区画、形成してなることを特徴とするボトル型容器。
【請求項２】
凹部に、その中央部分でそれを上下に分割するリブを設ける、請求項１記載のボトル型容器。
【請求項３】
リブは、凹部の底壁部分とのなす角度が、より垂直に近い壁面を有する、請求項２記載のボトル型容器。
【請求項４】
凹部の底壁部分及びこの凹部に近接する容器本体胴部の少なくとも一方に、容器本体の長手方向と交差する向きに伸延し、把持部のグリップ力を高める複数本の凸部を配置してなる、請求項１〜３の何れかに記載のボトル型容器。
【発明の詳細な説明】
【０００１】
【発明の属する技術分野】
本発明は、容器本体の胴部に凹部を区画、形成してこれを包む領域の全体を把持部として容器を保持する、いわゆる、ピンチグリップタイプのボトル型容器に関し、該凹部に工夫を加えることによって容器をより確実に保持しようとするものである。
【０００２】
【従来の技術】
酒や飲料あるいは醤油等を入れる容器としては、最近、２軸延伸ブロー成形によって製造された熱可塑性樹脂からなるものが多用されている。
【０００３】
この種の容器は、その充てん容量が２．７Ｌにも及ぶような比較的大容量のものが多く、容器本体の胴部のサイズが大きいことから、片手による保持は困難であり、別途に成形した把手を容器本体に取り付けた構造のものが一般的である。ところで、把手を別に取り付けたタイプの容器は、製造コストの低減やごみの減量が求められる現況おいては、その実現が非常に難しい状況にある。
【０００４】
この点に関しては、容器本体の成形に際してその胴部に直接凹部を設け、これを把持部として容器を保持する図５（ａ）（ｂ）に示すようなピンチグリップタイプの容器も提案されている。このタイプの容器は、容器本体の胴部の対向領域につき、それぞれ指先をあてがう凹部９を設け、その凹部９の相互間の全域をグリップとするものであり、把手とする部材が必要ないことから製造コストの低減に有利な製造工程の簡素化が可能であり、また、把手がない分、樹脂の使用樹量を削減できる利点がある。
【０００５】
しかしながら、かかるタイプの容器は、ブロー成形に際して容器の賦形性を担保する観点から、その外表面につき、滑らかな曲面が付与される形状になるような設計がなされており、これがために、容器を保持する際の引っ掛かり部分がなく、指先に力を入れないと容器を保持しにくい不具合があり、未だ改善の余地が残されている。
【０００６】
【発明が解決しようとする課題】
本発明の課題は、ピンチグリップタイプのボトル型容器において、該容器を確実に保持しようとするものである。
【０００７】
【課題を解決するための手段】
本発明は、容器本体の胴部に、その周りに沿う対向領域につきそれぞれ凹部を形成しその相互間の全領域を把持部とするピンチグリップタイプのボトル型容器であって、
前記凹部を、容器を把持する際の引っ掛かり部分を形成する少なくとも２段階よりなる段差にて区画、形成してなることを特徴とするボトル型容器である。
【０００８】
上記の構成になるボトル型容器において、凹部にはその中央部分でそれを上下に分割するリブを設けるのが望ましい。
【０００９】
また、リブは、凹部の底壁部分とのなす角度が、より垂直に近い壁面を有するものとする。
【００１０】
さらに、凹部の底壁部分及びこの凹部に近接する容器本体胴部の少なくとも一方には、容器本体の長手方向と交差する向きに伸延し、把持部のグリップ力を高める複数本の凸部を配置するのが好ましい。
【００１１】
【発明の実施の形態】
ブロー成形に際して容器本体の胴部に少なくとも２段階よりなる段差をつけて凹部を区画、形成し、容器の外観、とくに凹部の縁に関し、比較的急激な屈曲を付与しても容器の賦形性が確保され、その結果として指の引っ掛かりを確保する。
【００１２】
以下、図面を参照して本発明をより具体的に説明する。
図１〜図３（ａ）〜（ｂ）は本発明に従う容器の側面、背面及び平面をそれぞれ示したものである。
【００１３】
図において番号１は容器本体、２は容器本体１に一体的に形成された口部、３は容器本体１の胴部の対向領域につきそれぞれ形成された凹部であり、凹部３の相互間の全領域にわたって把持部４を形成する。
【００１４】
凹部３は、その要部を拡大して図４に示す如く、その上側領域が容器本体１の胴部つながる２段階の段差５ａ、５ｂにて区画、形成されており、この段差５ａ、５ｂのうちの段差５ｂにて容器を保持する際の引っ掛かり部分６を形成する。
【００１５】
また、７は凹部３の中央部分でそれを上下に分割するリブ、８は凹部３の底壁部分３ａとこの凹部３に近接する容器本体１の胴部に一体的に形成された複数本よりなる凸部であり、この凸部８は容器本体１の長手方向と交差する向きに伸延しており、把持部４の凹部３における滑り止め効果を発揮してグリップ力を高める。
【００１６】
ポリエチレンテレフタレート等の熱可塑性合成樹脂からなるプリフォームを、所望の条件のもとでブローして把持部を一体に備えるボトル型の容器を成形する場合、容器本体の胴部に対して、その外表面が急激に屈曲するような凹部を形成すると、樹脂の延伸に変動をきたし肉厚が不均一になり容器の賦形性を担保できなくなることから、通常は、図５（ａ）（ｂ）に示すように滑らかな曲面を持つ外観形状になるような成形がなされており、これがために、ここに指先をあてがって容器を保持しようとしても引っ掛かりがないため滑り易く、指先に力をいれないと容器を保持することは困難であることは前述したとおりである。
【００１７】
本発明においては、容器本体１の胴部に設けた凹部３を少なくとも２段階よりなる段差５ａ、５ｂにて区画、形成したので、容器の賦形性を担保しつつ凹部３の底壁部分３ａと引っ掛かり部分６とのなす角度θをほぼ９０°に近い角度とすることができ（凹部３の縁の円弧を小さくできる。）、したがって、指先に力を入れることなしに容器の確実な保持が可能となる。
【００１８】
凹部３を上下に２分するリブ７は容器本体１の胴部の容易な変形を防止する補強のための機能を有するが、リブ７の壁面７ａと凹部３の底壁部分３ａとのなす角度θ１を９０°に近づけることにより、ここを引っ掛かり部分とすることができ、容器の中身の残量（重量や重心）に応じて把持する位置をその上下で変更することにより内容物の容易な排出が可能となる。
【００１９】
本発明に従う容器は、ポリエチレンテレフタレートやポリブチレンテレフタレート或いはポリエチレンナフタレート等の飽和ポリエステル系熱可塑性合成樹脂を使用することができるものであり、その成形に際しては２軸延伸ブロー成形法が適用される。又、該容器については上記樹脂を単層構造とするものや、上記樹脂を内外層に位置させその中間にポリアミドやＥＶＯＨ等のバリヤー層を挟んだ２種３層・２種５層の積層構造とすることができ、更には、上記ポリエステル樹脂にバリヤー性樹脂をブレンドした単層・積層構造としたもの等、各種構成を採用し得る。
【００２０】
【発明の効果】
本発明によれば、ピンチグリップタイプのボトル型容器において、過大な力を要せずに確実に容器を保持することができ、内容物の排出が容易になる。
【図面の簡単な説明】
【図１】  本発明に従うボトル型容器の側面を示した図である。
【図２】  図１に示した容器の背面を示した図である。
【図３】  ａは図１に示した容器のＡ−Ａ断面を示した図であり、ｂはＢ−Ｂ断面を示した図であり、ｃはＣ−Ｃ断面を示した図である。
【図４】  図１に示した容器のＤ−Ｄ断面を拡大して示した図である。
【図５】  ａは従来形式になる容器の側面を示した図であり、ｂは要部の拡大断面図である。
【符号の説明】
１  容器本体
２  口部
３  凹部
３ａ  底壁部分
４  把持部
５ａ  段差
５ｂ  段差
６  引っ掛かり部分
７  リブ
８  凸部
９  凹部
９ａ  底壁部分
９ｂ  リブ
【図１】
0003839672.tif 000002
【図２】
0003839672.tif 000003
【図３】
0003839672.tif 000004
【図４】
0003839672.tif 000005
【図５】
0003839672.tif 000006